(57)【特許請求の範囲】
【請求項１】
中継リンクの物理ダウンリンク制御チャネル（Ｒ−ＰＤＣＣＨ）に割り当てられたリソースが物理ダウンリンク共有チャネル（Ｒ−ＰＤＳＣＨ）に割り当てられたリソースにオーバーラップする場合、前記Ｒ−ＰＤＳＣＨのデータを、割り当てられたリソース中のオーバーラップしたリソース上でマッピング及び送信せず、又は、割り当てられたリソース中の前記Ｒ−ＰＤＳＣＨのオーバーラップしたリソース上で送信待ちデータをパンクチャする
中継リンクの物理ダウンリンク共有チャネルのためのマッピング及びリソースの割り当て方法。
【請求項２】
前記Ｒ−ＰＤＣＣＨのダウンリンクグラント（ＤＬ  ｇｒａｎｔ）情報に割り当てられたリソースが前記Ｒ−ＰＤＳＣＨに割り当てられたリソースにオーバーラップする場合、前記Ｒ−ＰＤＳＣＨのデータを、ダウンリンクグラントによって占められたリソース上でマッピング及び送信せず、又は、ダウンリンクグラントによって占められたリソース上での前記Ｒ−ＰＤＳＣＨの送信待ちデータをパンクチャし、
前記Ｒ−ＰＤＳＣＨのデータを、割り当てられたリソース中のダウンリンクグラントによって占められていない全部又は一部のリソース上で、マッピング及び送信する
請求項１に記載のマッピング及びリソースの割り当て方法。
【請求項３】
前記Ｒ−ＰＤＣＣＨのアップリンクグラント（ＵＬ  ｇｒａｎｔ）情報に割り当てられたリソースがＲ−ＰＤＳＣＨに割り当てられたリソースにオーバーラップする場合、前記Ｒ−ＰＤＳＣＨのデータを、アップリンクグラントによって占められたリソース上でマッピング及び送信せず、又は、アップリンクグラントによって占められたリソース上での前記Ｒ−ＰＤＳＣＨの送信待ちデータをパンクチャし、
前記Ｒ−ＰＤＳＣＨのデータを、割り当てられたリソース中のアップリンクグラントによって占められていない全部又は一部のリソース上で、マッピング及び送信する
請求項１に記載のマッピング及びリソースの割り当て方法。
【請求項４】
前記Ｒ−ＰＤＣＣＨのダウンリンクグラント及びアップリンクグラントに割り当てられたリソースが、Ｒ−ＰＤＳＣＨに割り当てられたリソースにオーバーラップする場合、前記Ｒ−ＰＤＳＣＨのデータを、ダウンリンクグラント及びアップリンクグラントによって占められたリソース上で、マッピング及び送信せず、又は、ダウンリンクグラント及びアップリンクグラントによって占められたリソース上での前記Ｒ−ＰＤＳＣＨの送信待ちデータをパンクチャし、
前記Ｒ−ＰＤＳＣＨのデータを、割り当てられたリソース中のダウンリンクグラント及びアップリンクグラントによって占められていない全部又は一部のリソース上で、マッピング及び送信する
請求項１に記載のマッピング及びリソースの割り当て方法。
【請求項５】
前記Ｒ−ＰＤＳＣＨのリソースにリソースを割り当てるために、ＬＴＥシステムにおける共有チャネルに対応するリソース割り当て方式を再利用し、又は、パケットツリー型のリソース割り当て方式を採用する
請求項１に記載のマッピング及びリソースの割り当て方法。
【請求項６】
前記ＬＴＥシステムにおける共有チャネルに対応する再利用リソース割り当て方式は、基地局から端末までのリンクの物理ダウンリンク制御チャネル（ＰＤＣＣＨ）から送信されたダウンリンク制御フォーマットにおけるいずれか１つのリソース割り当てフィールドに対応するリソース割り当て方式である
請求項５に記載のマッピング及びリソースの割り当て方法。
【請求項７】
前記ダウンリンク制御フォーマットは、ｆｏｒｍａｔ０、ｆｏｒｍａｔ１／１Ａ／１Ｂ／１Ｃ／１Ｄ、ｆｏｒｍａｔ２／２Ａを含む
請求項６に記載のマッピング及びリソースの割り当て方法。
【請求項８】
前記Ｒ−ＰＤＳＣＨのリソース割り当ては、ｆｏｒｍａｔ０におけるリソースブロック割り当てフィールドと周波数ホッピングリソース割り当てフィールド、又はｆｏｒｍａｔ１／２／２Ａにおけるリソース割り当てヘッダフィールドとリソースブロック割り当てフィールド、又はｆｏｒｍａｔ１Ａ／１Ｂ／１Ｄにおける連続又は離散の仮想リソースブロック割り当てフラグフィールドとリソースブロック割り当てフィールド、又はｆｏｒｍａｔ１Ｃにおけるリソースブロック割り当てフィールドを再利用可能である
請求項７に記載のマッピング及びリソースの割り当て方法。
【請求項９】
前記パケットツリー型のリソース割り当て方式は、リソースブロック、又は、リソースブロックペアや周波数リソースをグループ化して、前記グループ化されたリソースに対してツリー型のリソース割り当てを行い、
当該リソース割り当て方式を採用する場合、位置情報のビット数は、以下の数式で表される
【数１】
0005493012.tif 000008
請求項５に記載のマッピング及びリソースの割り当て方法。
【請求項１０】
前記Ｒ−ＰＤＳＣＨがＲ８やＲ９やＲ１０の端末のデータを搬送する場合、前記Ｒ−ＰＤＳＣＨは基地局から端末までのＰＤＳＣＨである
請求項１に記載のマッピング及びリソースの割り当て方法。
【請求項１１】
前記Ｒ−ＰＤＣＣＨに割り当てられたリソースが、基地局からＲ８或いはＲ９端末までのリンクのＰＤＳＣＨに割り当てられたリソースにオーバーラップする場合、割り当てられたリソース中の前記ＰＤＳＣＨの前記オーバーラップしたリソース上で送信待ちデータをパンクチャし、
Ｒ−ＰＤＣＣＨに割り当てられたリソースが、基地局からＲ１０端末までのリンクのＰＤＳＣＨに割り当てられたリソースにオーバーラップする場合、前記ＰＤＳＣＨのデータを、割り当てられたリソース中のオーバーラップしたリソース上でマッピング及び送信せず、又は、割り当てられたリソース中の前記ＰＤＳＣＨの前記オーバーラップしたリソース上で送信待ちデータをパンクチャする
請求項１０に記載のマッピング及びリソースの割り当て方法。
【請求項１２】
更に、受信側が前記Ｒ−ＰＤＳＣＨのマッピング方法に応じてデータを受信する
請求項１に記載のマッピング及びリソースの割り当て方法。
【請求項１３】
物理ダウンリンク共有チャネル（Ｒ−ＰＤＳＣＨ）にリソースを割り当てるために、ＬＴＥシステムにおける共有チャネルに対応するリソース割り当て方式を再利用し、又は、パケットツリー型のリソース割り当て方式を採用し、
中継リンクの物理ダウンリンク制御チャネル（Ｒ−ＰＤＣＣＨ）に割り当てられたリソースが前記Ｒ−ＰＤＳＣＨに割り当てられたリソースにオーバーラップする場合、前記Ｒ−ＰＤＳＣＨのデータを、割り当てられたリソース中のオーバーラップしたリソース上でマッピング及び送信せず、又は、割り当てられたリソース中の前記Ｒ−ＰＤＳＣＨのオーバーラップしたリソース上で送信待ちデータをパンクチャする
中継リンクの物理ダウンリンク共有チャネルのマッピング及びリソースの割り当て方法。
【請求項１４】
前記Ｒ−ＰＤＣＣＨのダウンリンクグラント（ＤＬ  ｇｒａｎｔ）情報に割り当てられたリソースとＲ−ＰＤＳＣＨに割り当てられたリソースにオーバーラップする場合、前記Ｒ−ＰＤＳＣＨのデータを、ダウンリンクグラントによって占められたリソース上でマッピング及び送信せず、又は、ダウンリンクグラントによって占められたリソース上での前記Ｒ−ＰＤＳＣＨの送信待ちデータをパンクチャし、
前記Ｒ−ＰＤＳＣＨのデータを、割り当てられたリソース中のダウンリンクグラントによって占められていない全部又は一部のリソース上で、マッピング及び送信する
請求項１３に記載のマッピング及びリソースの割り当て方法。
【請求項１５】
前記Ｒ−ＰＤＣＣＨのアップリンクグラント（ＵＬ  ｇｒａｎｔ）情報に割り当てられたリソースがＲ−ＰＤＳＣＨに割り当てられたリソースにオーバーラップする場合、前記Ｒ−ＰＤＳＣＨのデータを、アップリンクグラントによって占められたリソース上でマッピング及び送信せず、又は、アップリンクグラントによって占められたリソース上での前記Ｒ−ＰＤＳＣＨの送信待ちデータをパンクチャし、
前記Ｒ−ＰＤＳＣＨのデータを、割り当てられたリソース中のアップリンクグラントによって占められていない全部又は一部のリソース上で、マッピング及び送信する
請求項１３に記載のマッピング及びリソースの割り当て方法。
【請求項１６】
前記Ｒ−ＰＤＣＣＨのダウンリンクグラント及びアップリンクグラントに割り当てられたリソースが、Ｒ−ＰＤＳＣＨに割り当てられたリソースにオーバーラップする場合、前記Ｒ−ＰＤＳＣＨのデータを、ダウンリンクグラント及びアップリンクグラントによって占められたリソース上で、マッピング及び送信をせず、又は、ダウンリンクグラント及びアップリンクグラントによって占められたリソース上での前記Ｒ−ＰＤＳＣＨの送信待ちデータをパンクチャし、
前記Ｒ−ＰＤＳＣＨのデータを、割り当てられたリソース中のダウンリンクグラント及びアップリンクグラントによって占められていない全部又は一部のリソース上で、マッピング及び送信する
請求項１３に記載のマッピング及びリソースの割り当て方法。
【請求項１７】
前記ＬＴＥシステムにおける共有チャネルに対応する再利用リソース割り当て方式は、基地局から端末までのリンクの物理ダウンリンク制御チャネル（ＰＤＣＣＨ）から送信されたダウンリンク制御フォーマットにおけるいずれか１つのリソース割り当てフィールドに対応するリソース割り当て方式である
請求項１３に記載のマッピング及びリソースの割り当て方法。
【請求項１８】
前記ダウンリンク制御フォーマットは、ｆｏｒｍａｔ０、ｆｏｒｍａｔ１／１Ａ／１Ｂ／１Ｃ／１Ｄ、ｆｏｒｍａｔ２／２Ａを含む
請求項１７に記載のマッピング及びリソースの割り当て方法。
【請求項１９】
前記Ｒ−ＰＤＳＣＨのリソース割り当ては、ｆｏｒｍａｔ０におけるリソースブロック割り当てフィールドと周波数ホッピングリソース割り当てフィールドか、ｆｏｒｍａｔ１／２／２Ａにおけるリソース割り当てヘッダフィールドとリソースブロック割り当てフィールドか、ｆｏｒｍａｔ１Ａ／１Ｂ／１Ｄにおける連続又は離散の仮想リソースブロック割り当てフラグフィールドとリソースブロック割り当てフィールドか、ｆｏｒｍａｔ１Ｃにおけるリソースブロック割り当てフィールドを再利用可能である
請求項１８に記載のマッピング及びリソースの割り当て方法。
【請求項２０】
前記パケットツリー型のリソースの割り当て方式を採用することは、具体的に、リソースブロック又はリソースブロックペア又は周波数リソースをグループ化して、前記グループ化されたリソースに対してツリー型のリソース割り当てを行い、
当該リソース割り当て方式を採用する場合、位置情報のビット数は、以下の数式で表される
【数２】
0005493012.tif 000009
請求項１３に記載のマッピング及びリソースの割り当て方法。
【請求項２１】
前記Ｒ−ＰＤＳＣＨがＲ８やＲ９やＲ１０の端末のデータを搬送する場合、前記Ｒ−ＰＤＳＣＨは基地局から端末までのＰＤＳＣＨである
請求項１３に記載のマッピング及びリソースの割り当て方法。
【請求項２２】
前記Ｒ−ＰＤＣＣＨに割り当てられたリソースが、基地局からＲ８やＲ９の端末までのリンクのＰＤＳＣＨに割り当てられたリソースにオーバーラップする場合、割り当てられたリソース中の前記ＰＤＳＣＨの前記オーバーラップしたリソース上で送信待ちデータをパンクチャし、Ｒ−ＰＤＣＣＨに割り当てられたリソースが、基地局からＲ１０端末までのリンクのＰＤＳＣＨに割り当てられたリソースにオーバーラップする場合、前記Ｒ−ＰＤＳＣＨのデータを、割り当てられたリソース中のオーバーラップしたリソース上でマッピング及び送信せず、又は、割り当てられたリソース中の前記ＰＤＳＣＨの前記オーバーラップしたリソース上で送信待ちデータをパンクチャする
請求項２１に記載のマッピング及びリソースの割り当て方法。
【請求項２３】
更に、受信側が前記Ｒ−ＰＤＳＣＨのマッピング方法に応じてデータを受信する
請求項１３に記載のマッピング及びリソースの割り当て方法。
【請求項２４】
Ｒ−ＰＤＳＣＨをマッピングするマッピング及びリソース割り当てモジュールを含み、
前記マッピング及びリソース割り当てモジュールは、前記Ｒ−ＰＤＳＣＨにリソースを割り当てるために、ＬＴＥシステムにおける共有チャネルに対応するリソース割り当て方式を再利用し、又は、パケットツリー型のリソース割り当て方式を採用し、
前記マッピング及びリソース割り当てモジュールはパケットツリー型のリソース割り当て方式を採用し、リソースブロック、又は、リソースブロックペアや周波数リソースをグループ化して、前記グループ化されたリソースに対してツリー型のリソース割り当てを行い、当該リソース割り当て方式を採用する場合、位置情報のビット数は、以下の数式で表される
【数３】
0005493012.tif 000010
中継リンクの物理ダウンリンク共有チャネルＲ−ＰＤＳＣＨのマッピング及びリソースの割り当て装置。
【請求項２５】
前記マッピング及びリソース割り当てモジュールは、前記Ｒ−ＰＤＳＣＨのデータを、割り当てられたリソース中のダウンリンクグラント及び／又はアップリンクグラントによって占められていない全部又は一部のリソース上で、マッピング及び送信する
請求項２４に記載のマッピング及びリソースの割り当て装置。
【請求項２６】
前記ＬＴＥシステムにおける共有チャネルに対応する再利用リソース割り当て方式は、基地局から端末までのリンクのＰＤＣＣＨから送信されたダウンリンク制御フォーマットにおけるいずれか１つのリソース割り当てフィールドに対応するリソース割り当て方式である
請求項２４に記載のマッピング及びリソースの割り当て装置。
【請求項２７】
ドッジングモジュールを更に含み、
前記ドッジングモジュールは、Ｒ−ＰＤＣＣＨに割り当てられたリソースがＲ−ＰＤＳＣＨに割り当てられたリソースにオーバーラップする場合、Ｒ−ＰＤＳＣＨのデータを、割り当てられたリソース中の前記オーバーラップしたリソース上でマッピング及び送信しない
請求項２４〜２６のいずれか１項に記載のマッピング及びリソースの割り当て装置。
【請求項２８】
パンクチャリングモジュールを更に含み、
前記パンクチャリングモジュールは、Ｒ−ＰＤＣＣＨに割り当てられたリソースがＲ−ＰＤＳＣＨに割り当てられたリソースにオーバーラップする場合、割り当てられたリソース中の前記Ｒ−ＰＤＳＣＨの前記オーバーラップしたリソース上でデータをパンクチャする
請求項２４〜２６のいずれか１項に記載のマッピング及びリソースの割り当て装置。
【請求項２９】
前記ドッジングモジュールは、Ｒ−ＰＤＣＣＨに割り当てられたリソースが、基地局からＲ１０の端末までのリンクのＰＤＳＣＨに割り当てられたリソースにオーバーラップする場合、Ｒ−ＰＤＳＣＨのデータを、割り当てられたリソース中の前記オーバーラップしたリソース上でマッピング及び送信しない
請求項２７に記載のマッピング及びリソースの割り当て装置。
【請求項３０】
前記パンクチャリングモジュールは、Ｒ−ＰＤＣＣＨに割り当てられたリソースが、基地局からＲ８やＲ９やＲ１０の端末までのリンクのＰＤＳＣＨに割り当てられたリソースにオーバーラップする場合、割り当てられたリソース中の前記ＰＤＳＣＨの前記オーバーラップしたリソース上でデータをパンクチャする
請求項２８に記載のマッピング及びリソースの割り当て装置。
【発明の詳細な説明】
【技術分野】
【０００１】
本発明は、無線移動通信に関し、特に、中継リンクの物理ダウンリンク共有チャネル（Ｒ−ＰＤＳＣＨ：Ｒｅｌａｙ  ｌｉｎｋ−Ｐｈｙｓｉｃａｌ  Ｄｏｗｎｌｉｎｋ  Ｓｈａｒｅｄ  Ｃｈａｎｎｅｌ）のためのマッピング及びリソースの割り当て方法、並びに割り当て装置に関する。
【背景技術】
【０００２】
ロング・ターム・エボリューション（ＬＴＥ）システム、ロング・ターム・エボリューションアドバンスト（ＬＴＥ−Ａ）システム、第４世代移動通信システム（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎ  Ａｄｖａｎｃｅｄ）は、いずれも直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術を基盤とする。ＯＦＤＭシステムは、主に、時間周波数の２次元のデータ形式である。ＬＴＥ、ＬＴＥ−Ａにおいて、リソースブロック（ＲＢ：Ｒｅｓｏｕｒｃｅ  Ｂｌｏｃｋ、リソースブロックが物理リソースにマッピングされる場合、ＲＢは、物理リソースブロック（ＰＲＢ：Ｐｈｙｓｉｃａｌ  Ｒｅｓｏｕｒｃｅ  Ｂｌｏｃｋ）と呼ばれる）は、時間領域においては連続する１つのタイムスロット（ｓｌｏｔ）内のＯＦＤＭシンボルとして定義され、周波数領域においては連続する１２個又は２４個のサブキャリアとして定義される。従って、１つのＲＢは、Ｎｓｉｍｂ×ＮＳＣＲＢ個のリソース要素（ＲＥ：Ｒｅｓｏｕｒｃｅ  Ｅｌｅｍｅｎｔ）で構成され、ここで、Ｎｓｉｍｂは、１つのタイムスロット内のＯＦＤＭシンボルの数を表し、ＮＳＣＲＢは、リソースブロックの周波数領域において連続するサブキャリアの数を表す。つまり、リソースブロックは、周波数方向に占める複数のサブキャリア（例えば、１２個のサブキャリア）を指し、時間方向に１つのタイムスロット内に占めるＯＦＤＭシンボルを指す。そして、リソースブロックペアは、１つのサブフレームにおける２つのタイムスロットに対応する１ペアのリソースブロックを指す（図２に示すようなフレーム構造において、１つの無線フレームは、１０個のサブフレームを含み、各サブフレームが、２個のタイムスロットを含む。ノーマルサイクリックプレフィックス（ｎｏｒｍａｌ  ｃｙｃｌｉｃ  ｐｒｅｆｉｘ）の場合、１つタイムスロットは、７個のＯＦＤＭシンボルを含み、拡張サイクリックプレフィックス（ｅｘｔｅｎｄｅｄ  ｃｙｃｌｉｃ  ｐｒｅｆｉｘ）の場合、１つタイムスロットは、６個のＯＦＤＭシンボルを含む）。
【０００３】
更に、システムにおいて、リソースブロックグループという概念も定義され、即ち、連続する複数のリソースブロックは、１つのリソースブロックグループになるということである。リソースブロックグループのサイズは、システム帯域幅により決定される。例えば、システム帯域幅が１０個のリソースブロック以下である場合、リソースブロックグループは１個のリソースブロックを含む。他の例では、システム帯域幅が１１〜２６個のリソースブロックである場合、リソースブロックグループは２個のリソースブロックを含む。更に他の例では、システム帯域幅が２７〜６３個のリソースブロックである場合、リソースブロックグループは３個のリソースブロックを含み、また、システム帯域幅が６４〜１１０個のリソースブロックである場合、リソースブロックグループは４個のリソースブロックを含む。
【０００４】
ＬＴＥ−Ａシステムにおいて、中継ノード（ＲＮ：Ｒｅｌａｙ  Ｎｏｄｅ）が導入された後に新しいリンクが追加された。図１に示すように、発展型ノードＢ（ｅＮｏｄｅ−Ｂ）と中継（ｒｅｌａｙ）との間のリンクは、バックホールリンク（ｂａｃｋｈａｕｌ  ｌｉｎｋ）や中継リンクと呼ばれる。中継とユーザ装置（ＵＥ：Ｕｓｅｒ  Ｅｑｕｉｐｍｅｎｔ）との間のリンクは、アクセスリンク（ａｃｃｅｓｓ  ｌｉｎｋ）と呼ばれる。ｅＮｏｄｅ−Ｂ（基地局）とＵＥ（端末）との間のリンクは、ダイレクトリンク（ｄｉｒｅｃｔ  ｌｉｎｋ）と呼ばれる。
【０００５】
現在、ＬＴＥ−Ａシステムについて、中継ノードが導入された後の制御チャネルとサービスチャネルとの間の多重化方式に対する研究は、注目されているホットスポット技術である。例えば、時間分割多重（ＴＤＭ：Ｔｉｍｅ  Ｄｉｖｉｓｉｏｎ  Ｍｕｌｔｉｐｌｅｘ）、周波数分割多重（ＦＤＭ：Ｆｒｅｑｕｅｎｃｙ  Ｄｉｖｉｓｉｏｎ  Ｍｕｌｔｉｐｌｅｘ）、ＦＤＭ−ＴＤＭという方式を採用して多重化を行う。しかし、Ｒ−ＰＤＳＣＨのためのリソースの割り当てに関する研究は進展していない。しかしながら、これは、当該発明が解決しようとする問題である。以下に具体的に示す。
【０００６】
ＴＤＭは、中継リンクの物理ダウンリンク制御チャネル（Ｒ−ＰＤＣＣＨ：Ｒｅｌａｙ  ｌｉｎｋ−Ｐｈｙｓｉｃａｌ  Ｄｏｗｎｌｉｎｋ  Ｃｏｎｔｒｏｌ  Ｃｈａｎｎｅｌ）及びＲ−ＰＤＳＣＨが異なるＯＦＤＭｓｙｍｂｏｌｓで送信されることを指す。
ＦＤＭは、Ｒ−ＰＤＣＣＨ及びＲ−ＰＤＳＣＨが異なるＰＲＢｓで送信されることを指す。
ＦＤＭ−ＴＤＭは、Ｒ−ＰＤＣＣＨ及びＲ−ＰＤＳＣＨが同じ又は異なるＰＲＢｓで送信されることを指す。
【０００７】
物理ダウンリンク制御チャネルには、少なくとも、ダウンリンクグラント（ＤＬ  ｇｒａｎｔ）情報、アップリンクグラント（ＵＬ  ｇｒａｎｔ）情報が含まれている。ＰＤＣＣＨにとっては、ダウンリンクグラントとアップリンクグラントが、１番目のタイムスロットにおける、最初の１つ又は最初の２つ又は最初の３つ又は最初の４つのＯＦＤＭシンボルで搬送され、周波数方向で全部のシステム帯域幅を占める。Ｒ−ＰＤＣＣＨにとっては、ダウンリンクグラントが１番目のタイムスロットの利用可能なＯＦＤＭシンボルで搬送され、アップリンクグラントが２番目のタイムスロットの利用可能なＯＦＤＭシンボルで搬送され、周波数方向で複数のリソースブロックを占め、最大周波数幅である場合、全部のシステム帯域幅を占める。
【０００８】
現在、Ｒ−ＰＤＳＣＨのためのマッピング及びリソースの割り当て方法の具体的な実現方案が提供されていない。
【発明の開示】
【発明が解決しようとする課題】
【０００９】
本発明が解決しようとする技術的課題は、基地局と中継ノードとの間のリンクに良好に適用でき、後方交換性（ＬＴＥシステムとの交換性）を確保できる上に、中継リンクの物理ダウンリンク共有チャネルのためのマッピング及びリソースの割り当ての課題も解決できる、Ｒ−ＰＤＳＣＨのためのマッピング及びリソースの割り当ての方法、並びに割り当て装置を提供することにある。
【課題を解決するための手段】
【００１０】
上記課題を解決するために、本発明は、Ｒ−ＰＤＳＣＨのためのマッピング及びリソースの割り当ての方法を提供する。
当該方法では、物理ダウンリンク制御チャネル（Ｒ−ＰＤＣＣＨ）に割り当てられたリソースが物理ダウンリンク供給チャネル（Ｒ−ＰＤＳＣＨ）に割り当てられたリソースにオーバーラップする場合、前記Ｒ−ＰＤＳＣＨのデータを、割り当てられたリソース中のオーバーラップされたリソース上でマッピング及び送信せず、又は、割り当てられたリソース上での前記Ｒ−ＰＤＳＣＨの送信待ちデータをパンクチャし、前記Ｒ−ＰＤＳＣＨのデータを、割り当てられたリソース中のＲ−ＰＤＣＣＨによって占められていない全部又は一部のリソース上でマッピング及び送信し、受信側が前記Ｒ−ＰＤＳＣＨのマッピング方法に応じてデータを受信する。
【００１１】
更に、前記Ｒ−ＰＤＣＣＨのダウンリンクグラント（ＤＬ  ｇｒａｎｔ）情報に割り当てられたリソースがＲ−ＰＤＳＣＨに割り当てられたリソースにオーバーラップする場合、前記Ｒ−ＰＤＳＣＨのデータを、ダウンリンクグラントによって占められたリソース上でマッピング及び送信せず、又は、ダウンリンクグラントによって占められたリソース上での前記Ｒ−ＰＤＳＣＨの送信待ちデータをパンクチャし、前記Ｒ−ＰＤＳＣＨのデータを、割り当てられたリソース中のダウンリンクグラントによって占められていない全部又は一部のリソース上で、マッピング及び送信する。
【００１２】
更に、前記Ｒ−ＰＤＣＣＨのアップリンクグラント（ＵＬ  ｇｒａｎｔ）情報に割り当てられたリソースがＲ−ＰＤＳＣＨに割り当てられたリソースにオーバーラップする場合、前記Ｒ−ＰＤＳＣＨのデータを、アップリンクグラントによって占められたリソース上でマッピング及び送信せず、又は、アップリンクグラントによって占められたリソース上での前記Ｒ−ＰＤＳＣＨの送信待ちデータをパンクチャし、前記Ｒ−ＰＤＳＣＨのデータを、割り当てられたリソース中のアップリンクグラントによって占められていない全部又は一部のリソース上で、マッピング及び送信する。
【００１３】
更に、前記Ｒ−ＰＤＣＣＨのダウンリンクグラント及びアップリンクグラントに割り当てられたリソースがＲ−ＰＤＳＣＨに割り当てられたリソースにオーバーラップする場合、前記Ｒ−ＰＤＳＣＨのデータを、ダウンリンクグラント及びアップリンクグラントによって占められたリソース上で、マッピング及び送信せず、又は、ダウンリンクグラント及びアップリンクグラントによって占められたリソース上での前記Ｒ−ＰＤＳＣＨの送信待ちデータがパンクチャし、前記Ｒ−ＰＤＳＣＨのデータを、割り当てられたリソース中のダウンリンクグラント及びアップリンクグラントによって占められていない全部又は一部のリソース上で、マッピング及び送信する。
【００１４】
更に、Ｒ−ＰＤＳＣＨは、ＬＴＥシステムにおける共有チャネルに対応するリソースの割り当て方式を再利用し、又は、パケットツリー型のリソース割り当て方式を採用する。
【００１５】
更に、前記ＬＴＥシステムにおける共有チャネルに対応するリソースの割り当て方式を再利用する再利用リソースの割り当て方式は、具体的に、基地局から端末までのリンクの物理ダウンリンク制御チャネル（ＰＤＣＣＨ）から送信されたダウンリンク制御フォーマットにおけるいずれか１つのリソース割り当てフィールドに対応するリソース割り当て方式である。
【００１６】
更に、前記ダウンリンク制御フォーマットは、ｆｏｒｍａｔ０、ｆｏｒｍａｔ１／１Ａ／１Ｂ／１Ｃ／１Ｄ、ｆｏｒｍａｔ２／２Ａを含む。
【００１７】
更に、前記Ｒ−ＰＤＳＣＨのリソースの割り当てには、次のアイテムのうちひとつが再利用される。すなわち、ｆｏｒｍａｔ０における、リソースブロック割り当てフィールド及び周波数ホッピングリソース割り当てフィールドか、ｆｏｒｍａｔ１／２／２Ａにおける、リソース割り当てヘッダフィールド及びリソースブロック割り当てフィールドか、ｆｏｒｍａｔ１Ａ／１Ｂ／１Ｄにおける、連続又は離散の仮想リソースブロック割り当てフラグフィールド及びリソースブロック割り当てフィールドか、ｆｏｒｍａｔ１Ｃにおけるリソースブロック割り当てフィールドである。
【００１８】
更に、前記パケットツリー型のリソース割り当て方式は、具体的に、リソースブロック、又は、リソースブロックペアや周波数リソースをグループ化し、前記グループ化されたリソースに対してツリー型のリソース割り当てを行うことを含み、当該パケットツリー型のリソース割り当て方式を採用する場合、位置情報のビット数は、以下の数式で表される。
【００１９】
【数１】
0005493012.tif 000002
【００２０】
更に、前記Ｒ−ＰＤＳＣＨがＲ８やＲ９やＲ１０の端末のデータを搬送する場合、前記共有チャネルは基地局から端末までのＰＤＳＣＨである。
【００２１】
更に、前記Ｒ−ＰＤＣＣＨに割り当てられたリソースが、基地局からＲ８やＲ９の端末までのリンクのＰＤＳＣＨに割り当てられたリソースにオーバーラップする場合、割り当てられたリソース中の前記ＰＤＳＣＨの前記オーバーラップしたリソース上で送信待ちデータをパンクチャする。前記Ｒ−ＰＤＣＣＨに割り当てられたリソースが、基地局からＲ１０端末までのリンクのＰＤＳＣＨに割り当てられたリソースにオーバーラップする場合、前記ＰＤＳＣＨのデータを、割り当てられたリソース中のオーバーラップしたリソース上でマッピング及び送信せず、又は、割り当てられたリソース中の前記ＰＤＳＣＨの前記オーバーラップしたリソース上で送信待ちデータをパンクチャする。
【００２２】
Ｒ−ＰＤＳＣＨのマッピング及びリソースの割り当て方法は、
前記Ｒ−ＰＤＳＣＨのリソース割り当てのために、ＬＴＥシステムにおける共有チャネルに対応するリソース割り当て方式を再利用し、又はパケットツリー型のリソース割り当て方式を採用し、
中継リンクの物理ダウンリンク制御チャネル（Ｒ−ＰＤＣＣＨ）に割り当てられたリソースがＲ−ＰＤＳＣＨに割り当てられたリソースにオーバーラップする場合、前記Ｒ−ＰＤＳＣＨのデータを、割り当てられたリソース中のオーバーラップしたリソース上でマッピング及び送信せず、又は、割り当てられたリソース中の前記Ｒ−ＰＤＳＣＨのオーバーラップしたリソース上で送信待ちデータをパンクチャする。
【００２３】
一方、本発明は、Ｒ−ＰＤＳＣＨのマッピング及びリソースの割り当て装置を更に提供する。当該装置は、Ｒ−ＰＤＳＣＨをマッピングするマッピングモジュールと、Ｒ−ＰＤＳＣＨがＬＴＥシステムにおける共有チャネルに対応するリソース割り当て方式を再利用し、又は、パケットツリー型のリソース割り当て方式を採用するソース割り当てモジュールとを含む。
【００２４】
更に、前記マッピングモジュールは、前記Ｒ−ＰＤＳＣＨが割り当てられたリソース中のダウンリンクグラント及び／又はアップリンクグラントによって占められていない全部又は一部のリソース上で、データをマッピング及び送信する。
【００２５】
更に、前記ＬＴＥシステムにおける共有チャネルに対応するリソース割り当て方式を再利用する再利用リソース割り当て方式は、具体的に、基地局から端末までのリンクのＰＤＣＣＨから送信されたダウンリンク制御フォーマットにおけるいずれか１つのリソース割り当てフィールドに対応するリソース割り当て方式である。
【００２６】
更に、前記リソース割り当てモジュールがパケットツリー型のリソース割り当て方式を採用する。当該パケットツリー型のリソース割り当て方式は、具体的には、リソースブロック、又は、リソースブロックペアや周波数リソースをグループ化し、前記グループ化されたリソースに対してツリー型のリソース割り当てを行うことを含む。当該リソース割り当て方式を採用する場合、位置情報のビット数は、以下の数式で表される。
【００２７】
【数２】
0005493012.tif 000003
【００２８】
更に、当該装置は、ドッジングモジュールを更に含み、前記ドッジングモジュールは、Ｒ−ＰＤＣＣＨに割り当てられたリソースがＲ−ＰＤＳＣＨに割り当てられたリソースにオーバーラップする場合、Ｒ−ＰＤＳＣＨのデータを、割り当てられたリソース中の前記オーバーラップしたリソース上でマッピング及び送信しない。
【００２９】
更に、当該装置は、パンクチャリングモジュールを更に含み、前記パンクチャリングモジュールは、Ｒ−ＰＤＣＣＨに割り当てられたリソースがＲ−ＰＤＳＣＨに割り当てられたリソースにオーバーラップする場合、割り当てられたリソース中の前記Ｒ−ＰＤＳＣＨの前記オーバーラップしたリソース上でデータをパンクチャする。
【００３０】
更に、前記ドッジングモジュールは、Ｒ−ＰＤＣＣＨに割り当てられたリソースが、基地局からＲ１０端末までのリンクのＰＤＳＣＨに割り当てられたリソースにオーバーラップする場合、割り当てられたリソース中の前記オーバーラップしたリソース上で、データをマッピング及び送信しない。
【００３１】
更に、前記パンクチャリングモジュールは、Ｒ−ＰＤＣＣＨに割り当てられたリソースが、基地局からＲ８やＲ９やＲ１０の端末までのリンクのＰＤＳＣＨに割り当てられたリソースにオーバーラップする場合、割り当てられたリソース中の前記ＰＤＳＣＨの前記オーバーラップしたリソース上でデータをパンクチャする。
【００３２】
本発明によれば、Ｒ−ＰＤＳＣＨのマッピング及びリソースの割り当て方法が提供される。当該方法は、基地局から中継ノードまでのリンクに良好に適用される。そして、リソース割り当ての方式が柔軟で、かつ、シグナリングオーバーヘッドが低く、かつ、後方交換性（ＬＴＥシステムとの交換性）を確保し、かつ、中継リンクの物理ダウンリンク共有チャネルのマッピング及びリソースの割り当ての課題が解決される。
【図面の簡単な説明】
【００３３】
【図１】従来の中継システムの構造を示す図である。
【図２】リソースブロック、サブキャリアを示す図である。
【図３】ＴＤＭ多重方式におけるＲ−ＰＤＣＣＨ及びＲ−ＰＤＳＣＨを示す図である。
【図４】ＦＤＭ多重方式におけるＲ−ＰＤＣＣＨ及びＲ−ＰＤＳＣＨを示す図である。
【図５】ＦＤＭ−ＴＤＭ多重方式におけるＲ−ＰＤＣＣＨ及びＲ−ＰＤＳＣＨを示す図である。
【図６】本発明の装置の構造を示す図である。
【発明を実施するための形態】
【００３４】
記載をより明確にするために、いくつかの関連技術用語が導入される。図２に示すように、「リソースブロック」は、周波数方向に占める複数のサブキャリア（例えば、１２個のサブキャリア）や、時間方向に１つのタイムスロットの全てを占めるＯＦＤＭシンボルを指し、「リソースブロックペア」は、１つのサブフレームにおける２つのタイムスロットに対応する１対のリソースブロックを指し、「周波数リソース」は、周波数方向に占める複数のサブキャリア（例えば１２個のサブキャリア）や、時間方向に１つのタイムスロット又は１つのサブフレームの全てを占める複数のＯＦＤＭシンボルを指す。周波数リソースが、時間方向に１つのタイムスロット又は１つのサブフレームの全てのＯＦＤＭシンボルを占める場合、周波数リソースの概念は、リソースブロック又はリソースブロックペアと同等である。
【００３５】
本発明の基本着想は、中継リンクの物理ダウンリンク制御チャネル（Ｒ−ＰＤＣＣＨ）に割り当てられたリソースがＲ−ＰＤＳＣＨに割り当てられたリソースにオーバーラップする場合、前記Ｒ−ＰＤＳＣＨのデータを、割り当てられたリソース中のオーバーラップしたリソース上でマッピング及び送信せず、又は、割り当てられたリソース中の前記Ｒ−ＰＤＳＣＨのオーバーラップしたリソース上で送信待ちデータをパンクチャする。そして、前記Ｒ−ＰＤＳＣＨのデータを、割り当てられたリソース中のＲ−ＰＤＣＣＨによって占められていない全部又は一部のリソース上でマッピング及び送信し、受信側が前記Ｒ−ＰＤＳＣＨのマッピング方法に応じて受信する。
【００３６】
以下、具体的に述べる。
【００３７】
前記Ｒ−ＰＤＣＣＨのダウンリンクグラントに割り当てられたリソースがＲ−ＰＤＳＣＨに割り当てられたリソースにオーバーラップする場合、前記Ｒ−ＰＤＳＣＨのデータを、ダウンリンクグラントによって占められたリソース上でマッピング及び送信せず、又は、ダウンリンクグラントによって占められたリソース上での前記Ｒ−ＰＤＳＣＨの送信待ちデータをパンクチャする。そして、前記Ｒ−ＰＤＳＣＨのデータを、割り当てられたリソース中のダウンリンクグラントによって占められていない全部又は一部のリソース上で、マッピング及び送信する。
【００３８】
前記Ｒ−ＰＤＣＣＨのアップリンクグラントに割り当てられたリソースがＲ−ＰＤＳＣＨに割り当てられたリソースとがオーバーラップする場合、前記Ｒ−ＰＤＳＣＨのデータを、アップリンクグラントによって占められたリソース上でマッピング及び送信せず、又は、アップリンクグラントによって占められたリソース上での前記Ｒ−ＰＤＳＣＨの送信待ちデータをパンクチャする。そして、前記Ｒ−ＰＤＳＣＨのデータを、割り当てられたリソース中のアップリンクグラントによって占められていない全部又は一部のリソース上で、マッピング及び送信する。
【００３９】
前記Ｒ−ＰＤＣＣＨのダウンリンクグラント及びアップリンクグラントに割り当てられたリソースが、Ｒ−ＰＤＳＣＨに割り当てられたリソースにオーバーラップする場合、前記Ｒ−ＰＤＳＣＨのデータを、ダウンリンクグラント及びアップリンクグラントによって占められたリソース上でマッピング及び送信せず、又は、ダウンリンクグラント及びアップリンクグラントによって占められたリソース上での前記Ｒ−ＰＤＳＣＨの送信待ちデータをパンクチャする。そして、前記Ｒ−ＰＤＳＣＨのデータを、割り当てられたリソース中のダウンリンクグラント及びアップリンクグラントによって占められていない全部又は一部のリソース上で、データをマッピング及び送信する。
【００４０】
Ｒ−ＰＤＳＣＨのリソースを割り当てるために、ＬＴＥシステムにおける共有チャネルに対応するリソース割り当て方式が再利用され、又は、パケットツリー型のリソース割り当て方式が採用される。具体的に、Ｒ−ＰＤＳＣＨによって再利用されたリソース割り当て方式は、ＬＴＥシステムにおける基地局から端末までのリンクの物理ダウンリンク共有チャネル又は物理アップリンク共有チャネルに対応するリソース割り当て方式と同じである。つまり、リソース割り当て方式は、基地局から端末までのリンクのＰＤＣＣＨから送信されたダウンリンク制御フォーマットにおけるいずれか１つのリソース割り当てフィールドに対応する。
【００４１】
ＬＴＥシステムにおける基地局から端末までのリンクのＰＤＣＣＨから送信されたダウンリンク制御フォーマットは、
１）フォーマット０（ｆｏｒｍａｔ０）、ｆｏｒｍａｔ１／１Ａ／１Ｂ／１Ｃ／１Ｄ、ｆｏｒｍａｔ２／２Ａを含む。具体的に、Ｒ−ＰＤＳＣＨのリソースの割り当てには、次のアイテムのうちひとつが再利用される。すなわち、ｆｏｒｍａｔ０における、リソースブロック割り当てフィールド及びホッピングリソース割り当てフィールド（Ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎ、この場合、アップリンクリソース割り当ては、ダウンリンクリソース割り当てに応用され、元のアップリンクに対応するパラメータは、ダウンリンクに対応するパラメータを表す）か、
２）ｆｏｒｍａｔ１／２／２Ａにおける、リソース割り当てヘッダフィールド及びリソースブロック割り当てフィールド（Ｒｅｓｏｕｒｃｅ  ａｌｌｏｃａｔｉｏｎ  ｈｅａｄｅｒ  ａｎｄ  Ｒｅｓｏｕｒｃｅ  ｂｌｏｃｋ  ａｓｓｉｇｎｍｅｎｔ）か、
３）ｆｏｒｍａｔ１Ａ／１Ｂ／１Ｄにおける、連続又は離散の仮想リソースブロック割り当てフラグフィールド及びリソースブロック割り当てフィールド（Ｌｏｃａｌｉｚｅｄ／Ｄｉｓｔｒｉｂｕｔｅｄ  ＶＲＢ  ａｓｓｉｇｎｍｅｎｔ  ｆｌａｇ  ａｎｄ  Ｒｅｓｏｕｒｃｅ  ｂｌｏｃｋ  ａｓｓｉｇｎｍｅｎｔ）か、
４）ｆｏｒｍａｔ１Ｃにおける、リソースブロック割り当てフィールド（Ｒｅｓｏｕｒｃｅ  ｂｌｏｃｋ  ａｓｓｉｇｎｍｅｎｔ）か
である。
【００４２】
具体的に、Ｒ−ＰＤＳＣＨは、ＬＴＥシステムにおける基地局から端末までのリンクの物理ダウンリンク共有チャネル又は物理アップリンク共有チャネルに対応するリソース割り当て方式と異なるリソース割り当て方式を利用する。パケットツリー型のリソース割り当て方式が採用される。パケットツリー型のリソース割り当て方式は、任意の位置から始まる連続するリソースブロックやリソースブロックペアや周波数リソースのグループ化位置を表し、即ち、まず、リソースブロック、又は、リソースブロックペアや周波数リソースをグループ化し、その後、グループ化されたリソースに対してツリー型のリソース割り当てを行う。当該リソース割り当て方式を採用する場合、位置情報のビット数は、以下の数式で表される。
【００４３】
【数３】
0005493012.tif 000004
【００４４】
以下、図面と具体的な実施形態を結合して、本発明の解決手段を更に説明する。
【００４５】
第１の実施形態について述べる。図３は、ＴＤＭ多重方式におけるＲ−ＰＤＣＣＨ及びＲ−ＰＤＳＣＨを示す図である。図３に示すように、Ｒ−ＰＤＳＣＨが、Ｒ８（バージョン  Ｒｅｌｅａｓｅ８）やＲ９（バージョン  Ｒｅｌｅａｓｅ９）やＲ１０（バージョン  Ｒｅｌｅａｓｅ１０）の端末のデータを搬送することに用いられる場合、Ｒ−ＰＤＳＣＨはＰＤＳＣＨである。この時、前記Ｒ−ＰＤＣＣＨに割り当てられたリソースが、基地局からＲ８やＲ９の端末までのリンクのＰＤＳＣＨに割り当てられたリソースにオーバーラップする場合、基地局からＲ８やＲ９端末までのリンクのＰＤＳＣＨに割り当てられたリソース中のオーバーラップしたリソース上でデータをパンクチャする。そして、Ｒ−ＰＤＣＣＨに割り当てられたリソースが、基地局からＲ１０の端末までのリンクのＰＤＳＣＨに割り当てられたリソースとがオーバーラップする場合、ＰＤＳＣＨは、ドッジングポリシーを採用し、又は、前記ＰＤＳＣＨに割り当てられたリソース中のオーバーラップしたリソース上でデータをパンクチャする。ここで、ドッジングポリシーは、Ｒ−ＰＤＣＣＨに対応する共有チャネルに割り当てられたリソース中の前記オーバーラップしたリソース上でデータをマッピング及び送信を行わない。パンクチャリング処理は、Ｒ−ＰＤＣＣＨなしの場合に応じてリソースマッピングを行い、リソースがオーバーラップする場合、オーバーラップしたリソース上の送信待ちデータを除去する。
【００４６】
第２の実施形態について述べる。図４は、ＦＤＭ多重方式におけるＲ−ＰＤＣＣＨ及びＲ−ＰＤＳＣＨ示す図である。図４に示すように、共有チャネルは、Ｒ８やＲ９やＲ１０の端末のデータを搬送することに用いられる。２つのＲＮがある場合、すなわちシステム中でＲＮ１及びＲＮ２がスケジューリングされている場合や、Ｒ−ＰＤＣＣＨに割り当てられたリソースが基地局から端末までのリンクのＰＤＳＣＨに割り当てられたリソースにオーバーラップしない場合、ＰＤＳＣＨには、パンクチャリング動作又はドッジング動作を行う必要がない。
【００４７】
ＲＮ１に対応するＲ−ＰＤＣＣＨは、６番目のリソースブロックペア（ｒｅｓｏｕｒｃｅ  ｂｌｏｃｋ  ｐａｉｒ）における２つのタイムスロットを占め、その中に、ダウンリンクグラントが１番目のタイムスロットを占め、アップリンクグラントが２番目のタイムスロットを占める。１、２、３、４、５番目（図の下から上へ数える）のリソースブロックペアにおける２つのタイムスロットが、対応するＲ−ＰＤＳＣＨに割り当てられる。ＲＮ１にとって、ダウンリンクグラントとアップリンクグラント及びＲ−ＰＤＳＣＨに割り当てられたリソースがいずれもオーバーラップしないので、ＲＮ１のＲ−ＰＤＳＣＨは、パンクチャリング動作又はドッジング動作を行う必要がない。
【００４８】
ＲＮ２に対応するＲ−ＰＤＣＣＨは、９、１０番目のリソースブロックペアにおける２つのタイムスロットを占め、その中に、ダウンリンクグラントが１番目のタイムスロットを占め、アップリンクグラントが２番目のタイムスロットを占める。９、１０、１１、１２番目のリソースブロックペアにおける２つのタイムスロットが、対応するＲ−ＰＤＳＣＨに割り当てられる。ＲＮ２にとって、ダウンリンクグラントとアップリンクグラント及びＲ−ＰＤＳＣＨに割り当てられたリソースは、９、１０番目のリソースブロックペアにおける２つのタイムスロット上でオーバーラップするので、ＲＮ２のＲ−ＰＤＳＣＨは、ドッジングポリシーを採用し又はパンクチャリング処理を行う。ドッジング処理又はパンクチャリング処理については、第１の実施形態を参照する。ドッジング処理を例として説明する。Ｒ−ＰＤＳＣＨのデータは、９、１０番目のリソースブロックペアにおける２つのタイムスロット上でマッピング及び送信されず、１１、１２番目のリソースブロックペアにおける２つのタイムスロット上でマッピング及び送信される。
【００４９】
第３の実施形態について述べる。図５は、ＦＤＭ―ＴＤＭ多重方式におけるＲ−ＰＤＣＣＨ及びＲ−ＰＤＳＣＨを示す図である。システムでは４つのＲＮ（それぞれがＲＮ１、ＲＮ２、ＲＮ３、ＲＮ４である）がスケジュールされると仮定する。図５に示すように、第３の実施形態において、２、３、４、６、９、１０、１２番目のリソースブロックペアに含まれるＲ−ＰＤＣＣＨは、４つのＲＮのＲ−ＰＤＣＣＨがインターリーブされた制御チャネルである。
【００５０】
ＲＮ１に対応するＲ−ＰＤＣＣＨは、２、３、４、６、９、１０、１２番目のリソースブロックペアにおける１番目のタイムスロットを占め、ダウンリンクグラントを搬送し、２、３、４、６、９、１０、１２番目のリソースブロックペアにおける２つのタイムスロットが、対応するＲ−ＰＤＳＣＨに割り当てられる。ＲＮ１にとって、ダウンリンクグラント及びＲ−ＰＤＳＣＨに割り当てられたリソースは、２、３、４、６、９、１０、１２番目のリソースブロックペアにおける１番目のタイムスロット上でオーバーラップするので、ＲＮ１のＲ−ＰＤＳＣＨは、ドッジングポリシーを採用し又はパンクチャリング処理を行う。ドッジング処理又はパンクチャリング処理について、第１の実施形態を参照する。ドッジングを例として説明する。Ｒ−ＰＤＳＣＨのデータは、２、３、４、６、９、１０、１２番目のリソースブロックペアにおける１番目のタイムスロット上でデータをマッピング及び送信せず、２、３、４、６、９、１０、１２番目のリソースブロックペアにおける２番目のタイムスロット上でマッピング及び送信される。
【００５１】
ＲＮ２、ＲＮ３、ＲＮ４に対応するＲ−ＰＤＣＣＨは、２、３、４、６、９、１０、１２番目のリソースブロックペアにおける１番目のタイムスロットを占め、ダウンリンクグラントを搬送する。ダウンリンクグラントが、ＲＮ２、ＲＮ３、ＲＮ４に対応するＲ−ＰＤＳＣＨに割り当てられたリソースにオーバーラップしないと仮定すると、ＲＮ２、ＲＮ３、ＲＮ４に対応するＲ−ＰＤＳＣＨは、パンクチャリング動作又はドッジング動作を行う必要がない。
【００５２】
第４の実施形態について述べる。図５は、ＦＤＭ―ＴＤＭ多重方式におけるＲ−ＰＤＣＣＨ及びＲ−ＰＤＳＣＨを示す図である。システム中で４つのＲＮ（それぞれがＲＮ１、ＲＮ２、ＲＮ３、ＲＮ４である）がスケジュールされると仮定すると、図５に示すように、ＲＮ１に対応するＲ−ＰＤＣＣＨは、２、３、４番目のリソースブロックペアにおける１番目のタイムスロットを占め、ダウンリンクグラントを搬送し、１、２、３、４番目のリソースブロックペアにおける２つのタイムスロットが、対応するＲ−ＰＤＳＣＨに割り当てられる。ＲＮ１にとって、ＤＬ  ｇｒａｎｔ及びＲ−ＰＤＳＣＨに割り当てられたリソースは、２、３、４番目のリソースブロックペアにおける１番目のタイムスロット上でオーバーラップするので、ＲＮ１のＲ−ＰＤＳＣＨは、ドッジングポリシーを採用し又はパンクチャリング処理を行う。ドッジング処理又はパンクチャリング処理について、第１の実施形態を参照する。ドッジング処理を例として説明する。Ｒ−ＰＤＳＣＨのデータは、２、３、４番目のリソースブロックペアにおける１番目のタイムスロット上でマッピング及び送信されず、２、３、４個目のリソースブロックペアにおける２番目のタイムスロット上でマッピング及び送信される。また、１番目のリソースブロックペアにおける２つのタイムスロット上でデータがマッピング及び送信され、つまり、ＲＮ１のＲ−ＰＤＳＣＨに割り当てられたリソース中のダウンリンクグラントによって占められていない全部の利用可能なリソース上でデータがマッピング及び送信される。
【００５３】
ＲＮ２に対応するＲ−ＰＤＣＣＨは、６番目のリソースブロックペアにおける１番目のタイムスロットを占め、ダウンリンクグラントを搬送し、６番目のリソースブロックペアにおける２つのタイムスロットが、対応するＲ−ＰＤＳＣＨに割り当てられる。ＲＮ２にとって、ダウンリンクグラント及びＲ−ＰＤＳＣＨに割り当てられたリソースは、６番目のリソースブロックペアにおける１番目のタイムスロット上でオーバーラップするので、ＲＮ２のＲ−ＰＤＳＣＨは、ドッジングポリシーを採用し又はパンクチャリング処理を行う。ドッジング処理又はパンクチャリング処理について、第１の実施形態を参照する。ドッジング処理を例として説明する。Ｒ−ＰＤＳＣＨのデータは、６番目のリソースブロックペアにおける１番目のタイムスロット上でマッピング及び送信されず、６番目のリソースブロックペアにおける２番目のタイムスロット上でマッピング及び送信される。
【００５４】
ＲＮ３に対応するＲ−ＰＤＣＣＨは、９、１０番目のリソースブロックペアの１番目のタイムスロットを占め、ダウンリンクグラントを搬送し、８、１１番目のリソースブロックペアにおける２つのタイムスロットが、対応するＲ−ＰＤＳＣＨに割り当てられる。ＲＮ３にとって、ダウンリンクグラント及びＲ−ＰＤＳＣＨに割り当てられたリソースはオーバーラップしないので、ＲＮ３のＲ−ＰＤＳＣＨは、パンクチャリング動作又はドッジング動作を行う必要がない。
【００５５】
ＲＮ４に対応するＲ−ＰＤＣＣＨは、１２番目のリソースブロックペアの１番目のタイムスロットを占め、ダウンリンクグラントを搬送し、１２、１３、１４、１５番目のリソースブロックペアにおける２つのタイムスロットが、対応するＲ−ＰＤＳＣＨに割り当てられる。ＲＮ４にとって、ダウンリンクグラント及びＲ−ＰＤＳＣＨに割り当てられたリソースは、１２番目のリソースブロックペアにおける１番目のタイムスロット上でオーバーラップするので、ＲＮ４のＲ−ＰＤＳＣＨは、ドッジングポリシーを採用し又はパンクチャリング処理を行う。ドッジング処理又はパンクチャリング処理について、第１の実施形態を参照する。ドッジング処理を例として説明する。Ｒ−ＰＤＳＣＨのデータは、１２番目のリソースブロックペアにおける１番目のタイムスロット上でマッピング及び送信されず、１２番目のリソースブロックペアにおける２番目のタイムスロット上でマッピング及び送信されない。又は、１２番目のリソースブロックペアにおける２番目のタイムスロット上でダウンリンクグラントがマッピング及び送信され、１３、１４、１５番目のリソースブロックペアにおける２つのタイムスロット上でマッピング及び送信され、つまり、ＲＮ４に関連するＲ−ＰＤＳＣＨのデータは、割り当てられたリソース中のダウンリンクグラントによって占められていない一部の利用可能なリソース上でマッピング及び送信される。
【００５６】
第５の実施形態について述べる。パケットツリー型のリソース割り当て方式が採用される。ＬＴＥに一致する以下の表は、異なるシステム帯域幅の条件でのリソースブロックのグループ化ルールをそれぞれ示す。本例では、周波数方向で１５個のリソースブロックが含まれる。表１によると、システム帯域幅が１１〜２６個のリソースブロックの範囲内である。各リソースブロックグループは２つのリソースブロックを含む。パケット数が、以下の数式（上式）で表され、即ち、全部で８つのグループがある。そして、以下の数式（下式）が採用される。当該下式の６ｂｉｔｓは、任意の位置から始まる連続するリソースブロックのグループ化位置を表し、これらのグループ内のリソースブロック又はリソースブロックペアは、いずれもＲ−ＰＤＳＣＨを搬送する。
【００５７】
【数４】
0005493012.tif 000005
【００５８】
【表１】
0005493012.tif 000006
同一の発明着想に基づいて、本発明の実施形態では、Ｒ−ＰＤＳＣＨのリソースの割り当て装置が更に提供されている。当該装置が課題を解決する原理は、Ｒ−ＰＤＳＣＨのリソースの割り当ての方法に類似する。従って、当該装置の実施について、上記の方法の実施を参照することができ、重複する説明を省略する。
【００５９】
図６は、本発明のＲ−ＰＤＳＣＨのリソース割り当ての装置の構造を示す図である。図６に示すように、本発明の装置は、Ｒ−ＰＤＳＣＨをマッピングするマッピング及びリソース割り当てモジュールを含む。前記Ｒ−ＰＤＳＣＨにリソースを割り当てるために、ＬＴＥシステムにおける共有チャネルに対応するリソース割り当て方式が再利用され、又は、パケットツリー型のリソース割り当て方式が採用される。
【００６０】
前記ＬＴＥシステムにおける共有チャネルに対応するリソース割り当て方式を再利用する再利用リソース割り当て方式は、具体的に、基地局から端末までのリンクのＰＤＣＣＨから送信されたダウンリンク制御フォーマットにおけるいずれか１つのリソース割り当てフィールドに対応するリソース割り当て方式である。
【００６１】
前記リソース割り当てモジュールがパケットツリー型のリソース割り当て方式を採用することは、具体的に、リソースブロック、又は、リソースブロックペアや周波数リソースをグループ化して、前記グループ化されたリソースに対してツリー型のリソース割り当てを行うことである。当該リソース割り当て方式を採用する場合、位置情報のビット数は、以下の数式で表される。
【００６２】
【数５】
0005493012.tif 000007
【００６３】
前記マッピング及びリソース割り当てモジュールは、具体的に、前記Ｒ−ＰＤＳＣＨのデータが、割り当てられたリソース中のダウンリンクグラント及び／又はアップリンクグラントによって占められていない全部又は一部のリソース上で、マッピング及び送信される。以下に更に具体的に示す。
【００６４】
前記Ｒ−ＰＤＣＣＨのＲ−ＰＤＳＣＨに割り当てられたリソースにオーバーラップする場合、前記Ｒ−ＰＤＳＣＨのデータが、ダウンリンクグラントによって占められたリソース上でマッピング及び送信されず、又は、ダウンリンクグラントによって占められたリソース上での前記Ｒ−ＰＤＳＣＨの送信待ちデータをパンクチャする。前記Ｒ−ＰＤＳＣＨのデータは、割り当てられたリソース中のダウンリンクグラントによって占められていない全部又は一部のリソース上でマッピング及び送信される。
【００６５】
前記Ｒ−ＰＤＣＣＨのアップリンクグラントに割り当てられたリソースがＲ−ＰＤＳＣＨに割り当てられたリソースにオーバーラップする場合、前記Ｒ−ＰＤＳＣＨのデータが、ダウンリンクグラントによって占められたリソース上でマッピング及び送信されず、又は、ダウンリンクグラントによって占められたリソース上での前記Ｒ−ＰＤＳＣＨの送信待ちデータをパンクチャする。前記Ｒ−ＰＤＳＣＨのデータは、割り当てられたリソース中のダウンリンクグラントによって占められていない全部又は一部のリソース上でマッピング及び送信される。
【００６６】
前記Ｒ−ＰＤＣＣＨのダウンリンクグラント及びアップリンクグラントに割り当てられたリソースが、Ｒ−ＰＤＳＣＨに割り当てられたリソースにオーバーラップする場合、前記Ｒ−ＰＤＳＣＨのデータが、ダウンリンクグラント及びアップリンクグラントによって占められたリソース上で、マッピング及び送信されず、又は、ダウンリンクグラント及びアップリンクグラントによって占められたリソース上での前記Ｒ−ＰＤＳＣＨの送信待ちデータをパンクチャする。前記Ｒ−ＰＤＳＣＨのデータは、割り当てられたリソース中のダウンリンクグラント及びアップリンクグラントによって占められていない全部又は一部のリソース上で、マッピング及び送信される。
【００６７】
図６に示すように、本発明の装置は、ドッジングモジュールを更に含む。当該ドッジングモジュールは、Ｒ−ＰＤＣＣＨに割り当てられたリソースがＲ−ＰＤＳＣＨに割り当てられたリソースにオーバーラップする場合、Ｒ−ＰＤＳＣＨのデータを、割り当てられたリソース中のオーバーラップしたリソース上でマッピング及び送信しない。ドッジングモジュールは、Ｒ−ＰＤＣＣＨに割り当てられたリソースが、基地局からＲ１０端末までのリンクのＰＤＳＣＨに割り当てられたリソースにオーバーラップする場合、割り当てられたリソース中のオーバーラップしたリソース上で、Ｒ−ＰＤＣＣＨのデータをマッピング及び送信しない。
【００６８】
図６に示すように、本発明の装置は、パンクチャリングモジュールを更に含む。当該パンクチャリングモジュールは、Ｒ−ＰＤＣＣＨに割り当てられたリソースがＲ−ＰＤＳＣＨに割り当てられたリソースにオーバーラップする場合、前記Ｒ−ＰＤＳＣＨのデータを、割り当てられたリソース中のオーバーラップしたリソース上でパンクチャする。パンクチャリングモジュールは、Ｒ−ＰＤＣＣＨに割り当てられたリソースが、基地局からＲ８或いはＲ９或いはＲ１０端末までのリンクのＰＤＳＣＨに割り当てられたリソースにオーバーラップする場合、前記ＰＤＳＣＨのデータを、割り当てられたリソース中のオーバーラップしたリソース上でパンクチャする。
【００６９】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【図１】
0005493012.tif 000011
【図２】
0005493012.tif 000012
【図３】
0005493012.tif 000013
【図４】
0005493012.tif 000014
【図５】
0005493012.tif 000015
【図６】
0005493012.tif 000016